(57)【要約】【課題】ＶＱＣ装置が調相設備を制御していく先々の状況を運用者が把握するために有効な調相設備の運用計画を作成する調相設備運用計画装置および調相設備運用計画方法を提供する。【解決手段】調相運用計画手段４１は、第２のメモリ４４から翌日の各時間帯の総需要予測値６４を入力し、次に第１のメモリ４５の総需要実績記録６１を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画６５およびタップ運用計画６６として第３のメモリ４６に書き込むことを翌日の全時間帯について行う。【選択図】図２
2010183761.tif 000002
【特許請求の範囲】
【請求項１】
過去から現在に至るまでの総需要実績記録、調相設備運用実績記録、および変圧器のタップ運用実績記録を記録保存する第１のメモリと、
電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存する実績収集手段と、
翌日２４時間の総需要推移を予測して第２のメモリに翌日２４時間の各時間帯毎の総需要予測値として記録保存する総需要予測手段と、
前記第２のメモリから翌日の各時間帯の総需要予測値を入力し、次に前記第１のメモリの総需要実績記録を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画およびタップ運用計画として第３のメモリに書き込むことを翌日の全時間帯について行う調相運用計画手段と
を具備することを特徴とする調相設備運用計画装置。
【請求項２】
請求項１に記載の調相設備運用計画装置において、
前記調相運用計画手段は、前記第２のメモリから翌日の各時間帯の総需要を入力し、次に前記第１のメモリの総需要実績記録を検索する際に、過去の需要実績記録の該当時間帯と同じ時間帯についてのみ検索するようにしたことを特徴とする調相設備運用計画装置。
【請求項３】
過去から現在に至るまでの総需要実績記録、調相設備運用実績記録、および変圧器のタップ運用実績記録を記録保存する第１のメモリと、
電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存する実績収集手段と、
翌日２４時間の総需要推移を予測して第２のメモリに翌日２４時間の各時間帯毎の総需要予測値として記録保存する総需要予測手段と、
前記第２のメモリから翌日の各時間帯の総需要予測値を入力し、次に前記第１のメモリの過去の総需要実績記録を検索して、入力した翌日の各時間帯の総需要予測値と過去の一日の各時間帯の総需要実績との差の絶対値の合計が最も小さい日を選らび、選んだ日の２４時間の調相設備運用実績およびタップ運用実績を前記第１のメモリから読み込んでそれらを調相設備運用計画およびタップ運用計画として第３のメモリに書き込む調相運用計画手段と
を具備することを特徴とする調相設備運用計画装置。
【請求項４】
請求項１又は２に記載の調相設備運用計画装置において、
カレンダーを記録する第４のメモリを更に具備し、
前記調相運用計画手段は、前記第１のメモリの総需要実績記録を検索する前に前記第４のメモリのカレンダーを参照して翌日の曜日を特定し、前記第１のメモリの総需要実績記録を検索する際には翌日の曜日と同じ過去の日についてのみ検索することを特徴とする調相設備運用計画装置。
【請求項５】
請求項１又は２に記載の調相設備運用計画装置において、
前記第１のメモリは、過去から現在に至るまでの総需要実績記録、調相設備運用実績記録、およびタップ運用実績記録のほかに天候実績記録も記録保存し、
前記実績収集手段は、電力系統の総需要実績、調相設備運用実績、およびタップ運用実績のほかに天候実績も入力してそれぞれを前記第１のメモリの総需要実績記録、調相設備運用実績記録、およびタップ運用実績記録、ならびに天候実績記録に追加して記録保存し、
翌日の天候予測値を入力して前記第２のメモリに翌日天候予測値として記録保存する天候予測収集手段を更に具備し、
前記調相運用計画手段は、前記第１のメモリの総需要実績記録を検索する前に前記第２のメモリの翌日天候予測値を参照し翌日の天候予測値を特定し、前記第１のメモリの総需要実績記録を検索する際には前記第１のメモリの天候実績記録を調べて特定した翌日の天候予測値と同じ過去の日のみ検索することを特徴とする調相設備運用計画装置。
【請求項６】
請求項１又は３に記載の調相設備運用計画装置において、
発電計画手段と負荷予測手段と調相運用修正手段と第４のメモリとを更に具備し、
前記第４のメモリには、翌日発電計画値、翌日負荷予測値、翌日系統構成計画、および母線電圧上下限値を翌日の各時間帯毎に記録することが可能であり、翌日系統構成計画には翌日の系統状態を各時間帯毎に設定することが可能であり、
前記発電計画手段は、前記第２のメモリに保存された総需要予測値を参照して総需要を賄うために必要な各発電機の翌日の運用計画を計算して計算結果を前記第４のメモリの翌日発電計画値として記録し、
前記負荷予測手段は、前記第２のメモリに保存された総需要予測値を参照して翌日の電力系統の個別負荷を予測し予測結果を前記第４のメモリの翌日負荷予測値として記録し、
前記調相運用修正手段は、前記第４のメモリから翌日系統構成計画、翌日負荷予想値、および翌日発電計画値を入力するとともに前記第３のメモリから調相設備運用計画およびタップ運用計画を入力し、入力したデータを使って翌日の各時間帯毎に潮流計算を行って母線電圧を算出し、算出した母線電圧が前記第４のメモリの母線電圧上下限値を逸脱しないかどうかを調べて逸脱していれば逸脱しないように入力した当該時間帯の調相設備運用計画およびタップ運用計画を改定した調相設備運用計画およびタップ運用計画によって前記第３のメモリの調相設備運用計画およびタップ運用計画を修正することを特徴とする調相設備運用計画装置。
【請求項７】
第１のメモリに過去から現在に至るまでの総需要実績記録、調相設備運用実績記録、および変圧器のタップ運用実績記録を記録保存し、
実績収集手段により電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存し、
総需要予測手段により翌日２４時間の総需要推移を予測して第２のメモリに翌日２４時間の各時間帯毎の総需要予測値として記録保存し、
調相運用計画手段により前記第２のメモリから翌日の各時間帯の総需要予測値を入力し、次に前記第１のメモリの総需要実績記録を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画およびタップ運用計画として第３のメモリに書き込むことを翌日の全時間帯について行う
ことを特徴とする調相設備運用計画方法。
【請求項８】
第１のメモリに過去から現在に至るまでの総需要実績記録、調相設備運用実績記録、および変圧器のタップ運用実績記録を記録保存し、
実績収集手段により電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存し、
総需要予測手段により翌日２４時間の総需要推移を予測して第２のメモリに翌日２４時間の各時間帯毎の総需要予測値として記録保存し、
調相運用計画手段により前記第２のメモリから翌日の各時間帯の総需要予測値を入力し、次に前記第１のメモリの過去の総需要実績記録を検索して、入力した翌日の各時間帯の総需要予測値と過去の一日の各時間帯の総需要実績との差の絶対値の合計が最も小さい日を選らび、選んだ日の２４時間の調相設備運用実績およびタップ運用実績を前記第１のメモリから読み込んでそれらを調相設備運用計画およびタップ運用計画として第３のメモリに書き込む
ことを特徴とする調相設備運用計画方法。
【請求項９】
請求項７又は８に記載の調相設備運用計画方法において、
第４のメモリに、翌日発電計画値、翌日負荷予測値、翌日系統構成計画、および母線電圧上下限値を翌日の各時間帯毎に記録できるようにし、翌日系統構成計画には翌日の系統状態を各時間帯毎に設定できるようにし、
発電計画手段により前記第２のメモリに保存された総需要予測値を参照して総需要を賄うために必要な各発電機の翌日の運用計画を計算して計算結果を前記第４のメモリの翌日発電計画値として記録し、
負荷予測手段により前記第２のメモリに保存された総需要予測値を参照して翌日の電力系統の個別負荷を予測し予測結果を前記第４のメモリの翌日負荷予測値として記録し、
調相運用修正手段により前記第４のメモリから翌日系統構成計画、翌日負荷予想値、および翌日発電計画値を入力するとともに前記第３のメモリから調相設備運用計画およびタップ運用計画を入力し、入力したデータを使って翌日の各時間帯毎に潮流計算を行って母線電圧を算出し、算出した母線電圧が前記第４のメモリの母線電圧上下限値を逸脱しないかどうかを調べて逸脱していれば逸脱しないように入力した当該時間帯の調相設備運用計画およびタップ運用計画を改定した調相設備運用計画およびタップ運用計画によって前記第３のメモリの調相設備運用計画およびタップ運用計画を修正する
ことを特徴とする調相設備運用計画方法。
【発明の詳細な説明】
【技術分野】
【０００１】
本発明は、電力系統の電圧を適切に維持するための調相設備の運用計画を作成する調相設備運用計画装置および調相設備運用計画方法に関する。
【背景技術】
【０００２】
電力系統の負荷は、無効電力を消費したり発生したりする。電力系統においては、無効電力が消費されると電圧が低下し、無効電力が発生すると電圧が上昇するという特性がある。このため、電力系統の電圧を規定値に維持するために、無効電力を適切に制御しなければならない。無効電力を適切に制御するために、電力系統内に予め設置された電力用コンデンサや分路リアクトルなどの調相設備、変圧器のタップ、発電機が利用される。電力用コンデンサを投入すると無効電力が発生し電圧が上昇する。逆に分路リアクトルを投入すると無効電力が消費され電圧が低下する。常に電力系統の電圧を維持するために、電力系統の負荷の変動に応じてリアルタイムで調相設備や変圧器のタップや発電機を中央から制御するいわゆる中央電圧無効電力制御（以降、「ＶＱＣ」という）装置が導入されている。
【０００３】
電力品質維持および電力系統の運用効率化の観点から、ＶＱＣの電圧維持機能の向上は、近年ますます重要視されるようになっている。そしてＶＱＣについては各種の手法が提案されている。ＶＱＣの手法としては、たとえば、特許文献１，２，３などがある。これらのＶＱＣの手法はいずれも、現在の電力系統の状態を示す計測値を入力して、電圧が異常になればそれを許容範囲内になるように調相設備や変圧器のタップや発電機を制御するようになっている。しかし、これらのＶＱＣのいずれの手法によっても、調相設備がこれからどのように制御されるのかが運用者にとっては判らないという欠点がある。また、運用者にとっては、調相設備がＶＱＣによってどのように制御されるのかを知りたいという要求があるにもかかわらず、それを知らせる方法がない。
【０００４】
一方、調相設備の将来の運用計画を作る装置や方法に関しては、例えば特許文献４に代表されるように、翌年やそれより先の将来の無効電力を予測して、それに見合う無効電力を供給するために新たに建設して導入すべき調相設備の設置計画を作成する装置や方法がある。
【先行技術文献】
【特許文献】
【０００５】
【特許文献１】特許第３５９４７８５号公報
【特許文献２】特開２００３−２５９５５４号公報
【特許文献３】特開２００３−２５９５５５号公報
【特許文献４】特許第３２６３７０２号公報
【発明の概要】
【発明が解決しようとする課題】
【０００６】
しかしながら、従来の装置や方法は、運用者にとってリアルタイムで有効に使える調相設備の運用計画を作成するものではない。運用者がリアルタイムで使う調相設備の計画を作成する装置や方法は、これまでに適切なものがなかった。つまり、従来は、ＶＱＣ装置が調相設備を制御していく先々の状況を把握するために有効な、調相設備の運用計画を作成する装置および方法として適当なものがなかった。
【０００７】
本発明は上記実情に鑑みてなされたものであり、ＶＱＣ装置が調相設備を制御していく先々の状況を運用者が把握するために有効な調相設備の運用計画を作成する調相設備運用計画装置および調相設備運用計画方法を提供することを目的とする。
【課題を解決するための手段】
【０００８】
本発明の一態様による調相設備運用計画装置は、過去から現在に至るまでの総需要実績記録、調相設備運用実績記録、および変圧器のタップ運用実績記録を記録保存する第１のメモリと、電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存する実績収集手段と、翌日２４時間の総需要推移を予測して第２のメモリに翌日２４時間の各時間帯毎の総需要予測値として記録保存する総需要予測手段と、前記第２のメモリから翌日の各時間帯の総需要予測値を入力し、次に前記第１のメモリの総需要実績記録を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画およびタップ運用計画として第３のメモリに書き込むことを翌日の全時間帯について行う調相運用計画手段とを具備することを特徴とする。
【０００９】
また、本発明の他の態様による調相設備運用計画装置は、過去から現在に至るまでの総需要実績記録、調相設備運用実績記録、および変圧器のタップ運用実績記録を記録保存する第１のメモリと、電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存する実績収集手段と、翌日２４時間の総需要推移を予測して第２のメモリに翌日２４時間の各時間帯毎の総需要予測値として記録保存する総需要予測手段と、前記第２のメモリから翌日の各時間帯の総需要予測値を入力し、次に前記第１のメモリの過去の総需要実績記録を検索して、入力した翌日の各時間帯の総需要予測値と過去の一日の各時間帯の総需要実績との差の絶対値の合計が最も小さい日を選らび、選んだ日の２４時間の調相設備運用実績およびタップ運用実績を前記第１のメモリから読み込んでそれらを調相設備運用計画およびタップ運用計画として第３のメモリに書き込む調相運用計画手段とを具備することを特徴とする。
【００１０】
また、本発明の他の態様による調相設備運用計画方法は、第１のメモリに過去から現在に至るまでの総需要実績記録、調相設備運用実績記録、および変圧器のタップ運用実績記録を記録保存し、実績収集手段により電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存し、総需要予測手段により翌日２４時間の総需要推移を予測して第２のメモリに翌日２４時間の各時間帯毎の総需要予測値として記録保存し、調相運用計画手段により前記第２のメモリから翌日の各時間帯の総需要予測値を入力し、次に前記第１のメモリの総需要実績記録を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画およびタップ運用計画として第３のメモリに書き込むことを翌日の全時間帯について行うことを特徴とする。
【００１１】
また、本発明の他の態様による調相設備運用計画方法は、第１のメモリに過去から現在に至るまでの総需要実績記録、調相設備運用実績記録、および変圧器のタップ運用実績記録を記録保存し、実績収集手段により電力系統の総需要実績、調相設備運用実績、および変圧器のタップ運用実績を入力してそれぞれを前記第１のメモリの総需要実績記録、調相設備運用実績記録、およびタップ運用実績記録に追加して記録保存し、総需要予測手段により翌日２４時間の総需要推移を予測して第２のメモリに翌日２４時間の各時間帯毎の総需要予測値として記録保存し、調相運用計画手段により前記第２のメモリから翌日の各時間帯の総需要予測値を入力し、次に前記第１のメモリの過去の総需要実績記録を検索して、入力した翌日の各時間帯の総需要予測値と過去の一日の各時間帯の総需要実績との差の絶対値の合計が最も小さい日を選らび、選んだ日の２４時間の調相設備運用実績およびタップ運用実績を前記第１のメモリから読み込んでそれらを調相設備運用計画およびタップ運用計画として第３のメモリに書き込むことを特徴とする。
【発明の効果】
【００１２】
本発明によれば、ＶＱＣ装置が調相設備を制御していく先々の状況を運用者が把握するために有効な調相設備の運用計画を作成する調相設備運用計画装置および調相設備運用計画方法を提供することができる。
【図面の簡単な説明】
【００１３】
【図１】本発明の各実施形態に係る調相設備運用計画装置が適用されるＶＱＣ装置の構成を示すブロック図。
【図２】本発明の第１の実施形態、第４の実施形態、および第５の実施形態に係る調相設備運用計画装置のシステムブロック図。
【図３】本発明の第２の実施形態および第６の実施形態に係る調相設備運用計画装置のシステムブロック図。
【図４】本発明の第３の実施形態および第７の実施形態に係る調相設備運用計画装置のシステムブロック図。
【図５】本発明の第８の実施形態に係る調相設備運用計画装置のシステムブロック図。
【図６】本発明の第８の実施形態における調相運用修正手段の動作を示すフローチャート。
【発明を実施するための形態】
【００１４】
以下、図面を参照して、本発明の実施の形態について説明する。
【００１５】
（各実施形態に共通）
最初に、図１を参照して、本発明の各実施形態に共通する事項について説明する。
【００１６】
図１は、本発明の各実施形態に係る調相設備運用計画装置８０が適用されるＶＱＣ装置５０の構成を示すブロック図である。
【００１７】
図１に示すＶＱＣ装置５０は、制御手段１１、計画手段１２、メモリ１３、表示手段１４、表示器１５、系統情報入力手段１６、指令出力手段１７、および情報伝送装置１８ａ，１８ｂ，１９ａ，１９ｂを有し、メモリ１３には調相設備運用計画３１およびタップ運用計画３２が記録されるようになっている。
【００１８】
上述の各要素のうち、調相設備運用計画３１およびタップ運用計画３２を記憶するメモリ１３ならびに計画手段１２は、各実施形態に係る調相設備運用計画装置８０を構成するものである。
【００１９】
制御手段１１は、系統情報入力手段１６から電力系統１の監視点２の母線電圧の計測値と、被制御対象機器３の発電機Ｑ、変圧器タップ位置、および調相設備状態（電力用コンデンサ、分路リアクトルの状態）の各計測値を入力すると共に、メモリ１３から調相設備運用計画３１およびタップ運用計画３２を入力し、入力した各種情報に基づいて調相設備と変圧器タップと発電機Ｑの指令値を決定して出力する機能である。
【００２０】
計画手段１２は、予想される電力需要、天候や気温などに基づき、調相設備（電力用コンデンサ、分路リアクトル）の運用計画を示す調相設備運用計画３１、および変圧器タップの運用計画を示すタップ運用計画３２を作成する機能である。調相設備運用計画３１は、調相設備の運用計画を示す情報であり、例えば電力会社が管轄するエリア内の各変電所の電力用コンデンサおよび分路リアクトルについて、運用すべき値を時系列に並べたデータである。タップ運用計画３２は、変圧器タップの運用計画を示す情報であり、例えば電力会社が管轄するエリア内の各変電所における個々の変圧器のタップの位置について、一定時間毎に設定すべき値を時系列に並べたデータである。上記計画手段１２は、例えば、前日に翌日の０時から２４時までの１日分の調相設備運用計画３１およびタップ運用計画３２を作成する。
【００２１】
メモリ１３は、計画手段１２が作成した調相設備運用計画３１およびタップ運用計画３２を記録するものである。
【００２２】
表示手段１４は、メモリ１３が記録する調相設備運用計画３１およびタップ運用計画３２を表示器１５に表示させる機能である。
【００２３】
表示器１５は、表示手段１４から供給される調相設備運用計画３１およびタップ運用計画３２を表示するものである。
【００２４】
系統情報入力手段１６は、情報伝送装置１８ａ，１９ａ経由で、電力系統１の監視点２の母線電圧の計測値と、被制御対象機器３の発電機Ｑ、変圧器タップ位置、および調相設備状態の各計測値とを入力する機能である。
【００２５】
指令出力手段１７は、制御手段１１が出力した指令値を入力し、入力した指令値を情報伝送装置１９ｂ，１８ｂ経由で、電力系統１の被制御対象機器３へ送信する機能である。
【００２６】
情報伝送装置１８ａは、電力系統１の監視点２の母線電圧の計測値を入力すると共に、被制御対象機器３の発電機Ｑ、変圧器タップ位置、および調相設備状態の各計測値を入力し、入力した計測値を情報伝送装置１９ａへ伝送するものである。
【００２７】
情報伝送装置１９ａは、情報伝送装置１８ａから伝送される計測値を、系統情報入力手段１６へ出力するものである。
【００２８】
情報伝送装置１９ｂは、指令出力手段１７から出力される指令値を、情報伝送装置１８ｂへ伝送するものである。
【００２９】
情報伝送装置１８ｂは、情報伝送装置１９ｂから伝送される指令値を、電力系統１の被制御対象機器３へ出力するものである。
【００３０】
上記制御手段１１は、より具体的には、系統情報入力手段１６から計測値を入力すると共にメモリ１３から調相設備運用計画３１および変圧器タップ運用計画３２を入力し、入力した調相設備運用計画３１および変圧器タップ運用計画３２に沿って調相設備と変圧器タップの制御量を求めて指令値を決定し、また入力した計測値ならびに調相設備運用計画３１および変圧器タップ運用計画３２から電力系統１の監視点２の母線電圧を許容範囲に維持するように発電機Ｑの制御量を計算して指令値を決定し、決定した調相設備と変圧器タップと発電機Ｑとの各指令値を出力する。
【００３１】
ここで、本発明の各実施形態に共通のＶＱＣ装置５０の動作について説明する。
【００３２】
情報伝送装置１８ａは変電所等の電力流通設備の近傍に設置されており、電力系統１の監視点２の母線電圧の計測値や被制御対象機器３の計測値、例えば発電機Ｑや変圧器タップ位置や調相設備の状態を示す値を入力して情報伝送装置１９ａへ送信する。情報伝送装置１９ａは受信した計測値を系統情報入力手段１６へ出力する。系統情報入力手段１６は入力した計測値を制御手段１１へ出力する。
【００３３】
計画手段１２は例えば翌日２４時間を２４時間帯にわけ各時間帯の調相設備の運用計画および変圧器タップの運用計画を作成し、各々を調相設備運用計画３１とタップ運用計画３２としてメモリ１３に記録する。ここで計画手段１２が調相設備運用計画３１および変圧器タップ運用計画３２を作成する方法はいかなる方法であってもよいが、制御手段１１がメモリ１３を参照する前に調相設備運用計画３１およびタップ運用計画３２をメモリ１３に記録する。
【００３４】
表示手段１４はメモリ１３の調相設備運用計画３１およびタップ運用計画３２を表示器１５に表示させる。
【００３５】
制御手段１１は周期的に処理を実行するようになっており、監視点２の母線電圧の計測値と、被制御対象機器３の発電機Ｑ、変圧器タップ位置、および調相設備状態の各計測値とを系統情報入力手段１６から入力し、入力した計測値から制御量を計算し、算出した制御量に基づき発電機Ｑと変圧器タップと調相設備の指令値を決定し、指令出力手段１７へ出力する。
【００３６】
これにより、指令出力手段１７は、制御手段１１が出力した指令値を入力し、入力した指令値を情報伝送装置１９ｂ，１８ｂ経由で、電力系統１の被制御対象機器３へ送信する。
【００３７】
（第１の実施形態）
まず、図２を参照して、本発明の第１の実施形態について説明する。
【００３８】
図２は、本発明の第１の実施形態に係る調相設備運用計画装置８０の構成を示すブロック図である。
【００３９】
この第１の実施形態に係る調相設備運用計画装置８０は、調相運用計画手段４１、実績収集手段４２、総需要予測手段４３、第１のメモリ４５、第２のメモリ４４、および第３のメモリ４６を有し、第１のメモリ４５には総需要実績記録６１、調相設備運用実績記録６２、およびタップ運用実績記録６３が記録保存され、第２のメモリ４４には総需要予測値６４が記録保存され、第３のメモリ４６には調相設備運用計画６５およびタップ運用計画６６が記録保存されるようになっている。
【００４０】
なお、調相運用計画手段４１は、図１に示した計画手段１２に対応するものである。また、調相設備運用計画６５およびタップ運用計画６６が記録保存される第３のメモリ４６は、図１に示した調相設備運用計画３１およびタップ運用計画３２が記録保存されるメモリ１３に対応するものである。
【００４１】
第１のメモリ４５は、過去から現在に至るまでの総需要実績記録、調相設備運用実績記録、および変圧器のタップ運用実績記録を記録保存するものである。
【００４２】
第２のメモリ４４は、翌日２４時間の各時間帯毎の総需要予測値を記録保存するものである。
【００４３】
第３のメモリ４６は、翌日の当該時間帯の調相設備運用計画およびタップ運用計画を記録保存するものである。
【００４４】
実績収集手段４２は、電力系統１の総需要実績、調相設備運用実績、および変圧器のタップ運用実績を入力してそれぞれを第１のメモリ４５の総需要実績記録６１、調相設備運用実績記録６２、およびタップ運用実績記録６３に追加して記録保存する機能である。
【００４５】
総需要予測手段４３は、翌日２４時間の総需要推移を予測して第２のメモリ４４に翌日２４時間の各時間帯毎の総需要予測値６４として記録保存する機能である。
【００４６】
調相運用計画手段４１は、第２のメモリ４４から翌日の各時間帯の総需要予測値６４を入力し、次に第１のメモリ４５の総需要実績記録６１を検索して、入力した各時間帯の総需要と最も近い過去の総需要の日時と時間帯を検出し、検出した過去の日時の時間帯の調相設備運用実績およびタップ運用実績を読み込み、読み込んだ調相設備運用実績およびタップ運用実績を翌日の当該時間帯の調相設備運用計画６５およびタップ運用計画６６として第３のメモリ４６に書き込むことを翌日の全時間帯について行う機能である。
【００４７】
ここで、第１の実施形態に係る調相設備運用計画装置８０の動作について説明する。
【００４８】
まず、実績収集手段４２は、電力系統１の総需要実績、調相設備運用実績、および変圧器のタップ運用実績を入力してそれぞれを第１のメモリ４５に記録保存されている過去の総需要実績記録６１、調相設備運用実績記録６２、およびタップ運用実績記録６３に追加して記録保存する。
【００４９】
次に、総需要予測手段４３は、翌日２４時間の総需要推移を予測して第２のメモリ４４に翌日２４時間の各時間帯毎の総需要予測値６４として記録保存する。総需要の予測方法は、重回帰分析を用いる方法やニューラルネットワークを用いる方法などがあるが、いかなる方法であってもよい。
【００５０】
最後に、調相運用計画手段４１は、第２のメモリ４４から翌日の各時間帯の総需要予測値６４を入力し、次に第１のメモリの総需要実績記録６１を検索し、入力した各時間帯の総需要と最も近い過去の総需要の日時と時間帯を検出し、検出した過去の日時の時間帯の調相設備運用実績およびタップ運用実績をそれぞれ調相設備運用実績記録６２およびタップ運用実績記録６３から読み込み、読み込んだ調相設備運用実績およびタップ運用実績を翌日の当該時間帯の調相設備運用計画６５およびタップ運用計画６６として第３のメモリ４６に書き込む。
【００５１】
この第１の実施形態によれば、調相設備運用計画装置８０は、過去の実績記録データから自動的に調相設備の運用計画を作成することができる。これにより、ＶＱＣ装置５０が調相設備を制御していく先々の状況を運用者が把握することができるようになる。
【００５２】
（第２の実施形態）
次に、図３を参照して、本発明の第２の実施形態について説明する。
【００５３】
なお、この第２の実施形態においては、図２に示した第１の実施形態の構成と共通する部分には同一の符号を付し、重複する説明を省略する。以下では、第１の実施形態と異なる部分を中心に説明する。
【００５４】
図３は、本発明の第２の実施形態に係る調相設備運用計画装置８０の構成を示すブロック図である。
【００５５】
この第２の実施形態に係る調相設備運用計画装置８０は、図２に示した第１の実施形態に係る調相設備運用計画装置８０の構成に、第４のメモリ４７を追加した構成となっている。この第４のメモリ４７には、カレンダー６７が記録されている。
【００５６】
また、調相運用計画手段４１は、第１のメモリ４５の総需要実績記録６１を検索する前に第４のメモリ４７のカレンダー６７を参照して翌日の曜日を特定し、第１のメモリ４５の総需要実績記録６１を検索する際には翌日の曜日と同じ過去の日についてのみ検索する機能を備えている。
【００５７】
ここで、第２の実施形態に係る調相設備運用計画装置８０の動作について説明する。
【００５８】
この第２の実施形態による調相運用計画手段４１は、第１の実施形態で既に説明した調相運用計画手段４１の動作において、第２のメモリ４４から翌日の各時間帯の総需要予測値６４を入力し、次に第１のメモリ４５の総需要実績記録６１を検索する前に、第４のメモリ４７のカレンダーを参照して翌日の曜日を特定し、第１のメモリ４５の総需要実績記録の中の翌日と同じ曜日の総需要実績のみを検索する。これ以外の動作は、第１の実施形態と同様である。
【００５９】
この第２の実施形態によれば、前述の第１の実施形態と同様の効果が得られるほか、翌日の曜日にふさわしい調相設備運用計画が作成されることが期待できる。これにより、ＶＱＣ装置５０が調相設備を制御していく先々の状況を運用者がより一層把握しやすくなる。
【００６０】
（第３の実施形態）
次に、図４を参照して、本発明の第３の実施形態について説明する。
【００６１】
なお、この第３の実施形態においては、図２に示した第１の実施形態の構成と共通する部分には同一の符号を付し、重複する説明を省略する。以下では、第１の実施形態と異なる部分を中心に説明する。
【００６２】
図４は、本発明の第３の実施形態に係る調相設備運用計画装置８０の構成を示すブロック図である。
【００６３】
この第３の実施形態に係る調相設備運用計画装置８０は、図２に示した第１の実施形態に係る調相設備運用計画装置８０の構成に、天候予測収集手段５３を追加した構成となっている。
【００６４】
また、第１のメモリ４５は、過去から現在に至るまでの総需要実績記録６１、調相設備運用実績記録６２、およびタップ運用実績記録６３のほかに天候実績記録６８も記録保存する。
【００６５】
実績収集手段４２は、電力系統の総需要実績、調相設備運用実績、およびタップ運用実績のほかに天候実績も入力してそれぞれを第１のメモリ４５の総需要実績記録６１、調相設備運用実績記録６２、およびタップ運用実績記録６３、ならびに天候実績記録６８に追加して記録保存する機能を備えている。
【００６６】
天候予測収集手段５３は、翌日の天候予測値を入力して第２のメモリ４４に翌日天候予測値として記録保存する機能を備えている。
【００６７】
調相運用計画手段４１は、第１のメモリ４５の総需要実績記録６１を検索する前に第２のメモリ４４の翌日天候予測値６９を参照し翌日の天候予測値を特定し、第１のメモリ４５の総需要実績記録６１を検索する際には第１のメモリ４５の天候実績記録６８を調べて特定した翌日の天候予測値と同じ過去の日のみ検索する機能を備えている。
【００６８】
ここで、第３の実施形態に係る調相設備運用計画装置８０の動作について説明する。
【００６９】
この第３の実施形態による調相運用計画手段４１は、第１の実施形態で既に説明した調相運用計画手段４１の動作において、第２のメモリ４４から翌日の各時間帯の総需要予測値６４を入力し、第１のメモリ４５の総需要実績記録６１を検索する前に、第２のメモリ４４の翌日天候予測値６９を参照して翌日の天候を特定し、次に第１のメモリ４５の総需要実績記録の中の翌日と同じ天候の日の総需要実績のみを検索する。これ以外の動作は、第１の実施形態と同様である。
【００７０】
この第３の実施形態によれば、前述の第１の実施形態と同様の効果が得られるほか、翌日の天候にふさわしい調相設備運用計画やタップ運用計画を作成することができる。これにより、ＶＱＣ装置５０が調相設備を制御していく先々の状況を運用者がより一層把握しやすくなる。
【００７１】
（第４の実施形態）
次に、図２を参照して、本発明の第４の実施形態について説明する。
【００７２】
なお、この第４の実施形態の構成は、図２に示した第１の実施形態の構成と同様である。以下では、第１の実施形態と異なる部分を中心に説明する。
【００７３】
この第４の実施形態においては、調相運用計画手段４１は次のような機能を備えている。
【００７４】
即ち、この第４の実施形態における調相運用計画手段４１は、第２のメモリ４４から翌日の各時間帯の総需要を入力し、次に第１のメモリ４５の総需要実績記録６１を検索する際に、過去の需要実績記録の該当時間帯と同じ時間帯についてのみ検索する機能を備えている。
【００７５】
ここで、第４の実施形態に係る調相設備運用計画装置８０の動作について説明する。
【００７６】
この第４の実施形態による調相運用計画手段４１は、第１の実施形態で既に説明した調相運用計画手段４１の動作において、第２のメモリ４４から翌日の各時間帯の総需要予測値６４を入力し、次に第１のメモリ４５の総需要実績記録６１を検索するする際、翌日の時間帯と同じ過去の日の時間帯の総需要実績記録６１のみを検索する。これ以外の動作は、第１の実施形態と同様である。
【００７７】
この第４の実施形態によれば、前述の第１の実施形態と同様の効果が得られるほか、翌日の各時間帯にふさわしい調相設備運用計画やタップ運用計画を作成することができる。これにより、ＶＱＣ装置５０が調相設備を制御していく先々の状況を運用者がより一層把握しやすくなる。
【００７８】
（第５の実施形態）
次に、図２を参照して、本発明の第５の実施形態について説明する。
【００７９】
なお、この第５の実施形態の構成は、図２に示した第１の実施形態の構成と同様である。以下では、第１の実施形態と異なる部分を中心に説明する。
【００８０】
この第５の実施形態においては、調相運用計画手段４１は次のような機能を備えている。
【００８１】
即ち、この第５の実施形態における調相運用計画手段４１は、第２のメモリ４４から翌日の各時間帯の総需要予測値６４を入力し、次に第１のメモリ４５の過去の総需要実績記録６１を検索して、入力した翌日の各時間帯の総需要予測値と過去の一日の各時間帯の総需要実績との差の絶対値の合計が最も小さい日を選らび、選んだ日の２４時間の調相設備運用実績およびタップ運用実績を第１のメモリ４５から読み込んでそれらを調相設備運用計画６５およびタップ運用計画６６として第３のメモリ４６に書き込む機能を備えている。
【００８２】
ここで、第５の実施形態に係る調相設備運用計画装置８０の動作について説明する。
【００８３】
この第５の実施形態による調相運用計画手段４１は、第１の実施形態で既に説明した調相運用計画手段４１の動作とは多少異なり、第２のメモリ４４から翌日の各時間帯の総需要予測値６４を入力した後、第１のメモリ４５の過去の総需要実績記録６１を検索して、入力した翌日の各時間帯の総需要予測値と過去の一日の各時間帯の総需要実績との差の絶対値の合計が最も小さい日を選らび、選んだ日の２４時間の調相設備運用実績とタップ運用実績を第１のメモリ４５の調相設備運用実績記録６２およびタップ運用実績記録６３から読み込んでそれらを調相設備運用計画６５およびタップ運用計画６６として第３のメモリ４６に書き込む。これ以外の動作は、第１の実施形態と同様である。
【００８４】
この第５の実施形態によれば、前述の第１の実施形態と同様に、調相設備運用計画装置８０は、過去の実績記録データから自動的に調相設備の運用計画を作成することができる。これにより、ＶＱＣ装置５０が調相設備を制御していく先々の状況を運用者が把握することができるようになる。
【００８５】
（第６の実施形態）
次に、図３を再び参照して、本発明の第６の実施形態について説明する。
【００８６】
なお、この第６の実施形態の構成は、図３に示した第２の実施形態の構成と同様である。以下では、第２の実施形態と異なる部分を中心に説明する。
【００８７】
第２の実施形態に係る調相設備運用計画装置８０が「第１の実施形態に係る調相設備運用計画装置８０」の構成に第４のメモリ４７を追加した構成であったのに対し、この第６の実施形態に係る調相設備運用計画装置８０は、「第５の実施形態に係る調相設備運用計画装置８０」の構成に第４のメモリ４７を追加した構成となっている。
【００８８】
ここで、第６の実施形態に係る調相設備運用計画装置８０の動作について説明する。
【００８９】
この第６の実施形態による調相運用計画手段４１は、第５の実施形態で既に説明した調相運用計画手段４１の動作において、第２のメモリ４４から翌日の各時間帯の総需要予測値６４を入力し、次に第１のメモリ４５の総需要実績記録６１を検索する前に、第４のメモリ４７のカレンダーを参照して翌日の曜日を特定し、第１のメモリ４５の総需要実績記録の中の翌日と同じ曜日の総需要実績のみを検索する。これ以外の動作は、第５の実施形態と同様である。
【００９０】
この第６の実施形態によれば、前述の第５の実施形態と同様の効果が得られるほか、翌日の曜日にふさわしい調相設備運用計画が作成されることが期待できる。これにより、ＶＱＣ装置５０が調相設備を制御していく先々の状況を運用者がより一層把握しやすくなる。
【００９１】
（第７の実施形態）
次に、図４を再び参照して、本発明の第７の実施形態について説明する。
【００９２】
なお、この第７の実施形態の構成は、図４に示した第３の実施形態の構成と同様である。以下では、第２の実施形態と異なる部分を中心に説明する。
【００９３】
第３の実施形態に係る調相設備運用計画装置８０が「第１の実施形態に係る調相設備運用計画装置８０」の構成に天候予測収集手段５３を追加した構成であったのに対し、この第７の実施形態に係る調相設備運用計画装置８０は、「第５の実施形態に係る調相設備運用計画装置８０」の構成に天候予測収集手段５３を追加した構成となっている。
【００９４】
そのほか、第１のメモリ４５上の天候実績記録６８、第２のメモリ４４上の翌日天候予測値６９、実績収集手段４２が天候実績記録６８に追加して記録保存する機能、天候予測収集手段５３が翌日の天候予測値を入力して第２のメモリ４４に翌日天候予測値として記録保存する機能、および調相運用計画手段４１が第１のメモリ４５の総需要実績記録６１を検索する前に第２のメモリ４４の翌日天候予測値６９を参照し翌日の天候予測値を特定し、第１のメモリ４５の総需要実績記録６１を検索する際には第１のメモリ４５の天候実績記録６８を調べて特定した翌日の天候予測値と同じ過去の日のみ検索するという機能も、「第５の実施形態に係る調相設備運用計画装置８０」の構成に対して追加されたものである。
【００９５】
ここで、第７の実施形態に係る調相設備運用計画装置８０の動作について説明する。
【００９６】
この第７の実施形態による調相運用計画手段４１は、第５の実施形態で既に説明した調相運用計画手段４１の動作において、総需要実績記録６１を検索する前に、第２のメモリ４４の翌日天候予測値６９を参照して翌日の天候を特定し、次に第１のメモリ４５の総需要実績記録の中の翌日と同じ天候の日の総需要実績のみを検索する。これ以外の動作は、第５の実施形態と同様である。
【００９７】
この第７の実施形態によれば、前述の第５の実施形態と同様の効果が得られるほか、翌日の天候にふさわしい調相設備運用計画やタップ運用計画を作成することができる。これにより、ＶＱＣ装置５０が調相設備を制御していく先々の状況を運用者がより一層把握しやすくなる。
【００９８】
（第８の実施形態）
次に、図５および図６を参照して、本発明の第８の実施形態について説明する。
【００９９】
なお、この第８の実施形態においては、図２に示した第１の実施形態の構成と共通する部分には同一の符号を付し、重複する説明を省略する。以下では、第１の実施形態と異なる部分を中心に説明する。
【０１００】
図５は、本発明の第８の実施形態に係る調相設備運用計画装置８０の構成を示すブロック図である。
【０１０１】
この第８の実施形態に係る調相設備運用計画装置８０は、図２に示した第１の実施形態もしくは第５の実施形態に係る調相設備運用計画装置８０の構成に、負荷予測手段４９、発電計画手段５０、第４のメモリ５１、および調相運用修正手段５２を追加し、第４のメモリ５１に翌日発電計画値７０、翌日負荷予測値７１、翌日系統構成計画７２、および母線電圧上下限値７３を記憶する構成となっている。
【０１０２】
第４のメモリ５１には、翌日発電計画値７０、翌日負荷予測値７１、翌日系統構成計画７２、および母線電圧上下限値７３を翌日の各時間帯毎に記録することが可能であり、翌日系統構成計画には翌日の系統状態を各時間帯毎に設定することが可能である。
【０１０３】
発電計画手段５０は、第２のメモリ４４に保存された総需要予測値６４を参照して総需要を賄うために必要な各発電機の翌日の運用計画を計算して計算結果を第４のメモリ５１の翌日発電計画値７０として記録する機能である。
【０１０４】
負荷予測手段４９は、第２のメモリ４４に保存された総需要予測値６４を参照して翌日の電力系統の個別負荷を予測し予測結果を第４のメモリ５１の翌日負荷予測値７１として記録する機能である。
【０１０５】
調相運用修正手段５２は、第４のメモリ５１から翌日系統構成計画７２、翌日負荷予想値７１、および翌日発電計画値７０を入力するとともに第３のメモリ４６から調相設備運用計画６５およびタップ運用計画６６を入力し、入力したデータを使って翌日の各時間帯毎に潮流計算を行って母線電圧を算出し、算出した母線電圧が第４のメモリ５１の母線電圧上下限値７３を逸脱しないかどうかを調べて逸脱していれば逸脱しないように入力した当該時間帯の調相設備運用計画６５およびタップ運用計画６６を改定した調相設備運用計画およびタップ運用計画によって第３のメモリ４６の調相設備運用計画６５およびタップ運用計画６６を修正する機能である。
【０１０６】
ここで、第８の実施形態に係る調相設備運用計画装置８０の動作について説明する。
【０１０７】
図５の調相設備運用計画装置８０において、発電計画手段５０は、第２のメモリ４４から翌日の総需要予測値６４を入力し、各時間帯の総需要を賄うための発電機の出力を決定しその結果を翌日発電計画値７０として第４のメモリ５１に保存する。ここで発電機の出力決定方法は各種考えられるが、たとえば等増分燃料費の法則にしたがって各発電機の増分燃料費が等しくなるように各発電機の出力（有効電力）を決定する。次にあらかじめ定めた発電機出力のＰＱ比率（有効電力対無効電力比率）を出力（有効電力）に乗じることにより出力（無効電力）を決定する。この他にも発電機の運用方法を決定する方法は各種考えられるがいずれの方法であってもよい。
【０１０８】
また、負荷予測手段４９は、第２のメモリ４４から翌日の総需要予測値６４を入力し、各時間帯の総需要を系統内の各時間帯の個別負荷に配分し、翌日負荷予測値７１として第４のメモリ５１に保存する。ここで総需要を個別負荷に配分する方法は各種考えられるが、たとえば個別負荷毎に総需要に対する配分比率とＰＱ比率（有効電力対無効電力比率）をあらかじめ決めておき、総需要にその配分比率を乗じて個別負荷の有効電力を算出し、次に有効電力にＰＱ比率を乗じて個別負荷の無効電力を算出し、各時間帯毎の個別負荷の有効電力と無効電力とを翌日負荷予測値７１として第４のメモリ５１に保存する。なお、総需要予測値から翌日負荷予測値７１を算出する方法は、他の方法であってもかまわない。翌日系統構成計画７２は、翌日の系統接続状態を示し、各時間帯毎の系統状態を翌日系統構成計画７２として第４のメモリ５１に設定できるようにしてある。
【０１０９】
調相運用修正手段５２は、第３のメモリ４６の調相設備運用計画６５とタップ運用計画６６を必要により修正する。
【０１１０】
ここで、図６のフローチャートを参照して、調相運用修正手段５２の動作について説明する。
【０１１１】
調相運用修正２２は、まずステップＳ１において、第４のメモリ５１から、翌日発電計画値７０、翌日負荷予測値７１、翌日系統構成計画７２、母線電圧上下限値７３を、また第３のメモリ４６から調相設備運用計画６５、タップ運用計画６６を入力する。
【０１１２】
次に、ステップＳ２からステップＳ１１までを時間帯毎に繰り返して処理する。
【０１１３】
次に、ステップＳ３において、系統の接続状態を示す翌日系統構成を潮流計算で扱うノードとブランチの形態にモデル化する。
【０１１４】
次に、ステップＳ４において、各発電機の接続するノードに発電機出力（有効電力および無効電力）を注入電力として設定する。
【０１１５】
次に、ステップＳ５において、個別負荷が接続するノードに個別負荷電力（有効電力および無効電力）を流出電力として設定する。
【０１１６】
次に、ステップＳ６において、各調相設備が接続するノードに各調相設備の無効電力を注入電力として設定する。
【０１１７】
次に、ステップＳ７において、変圧器タップに対応するブランチにタップ位置に応じた巻き線比を設定する。
【０１１８】
次に、ステップＳ８において、ステップＳ３からステップＳ７により作成した潮流計算モデルにより潮流計算を行い、各母線に対応するノード電圧を母線上下限値４３と比較することによって母線電圧上下限値を逸脱しているかどうかを判定する。
【０１１９】
次に、ステップＳ９において、もし母線電圧の中に母線電圧上下限値を逸脱しているものがあればステップＳ１０の処理を行い、逸脱しているものがなければステップＳ１１の処理を行う。
【０１２０】
次に、ステップＳ１０において、いわゆる最適潮流計算により母線電圧が母線上下限値内になるようにステップＳ４で設定した各発電機出力（無効電力）、ステップＳ６で設定した調相設備、ステップＳ７でブランチの巻き線比を設定したタップの制御量を計算する。ここで最適潮流計算とは、電力方程式を満足した上で、各種の目的関数を最小化あるいは最大化するような制御変数の解を求めるツールであって、電力系統の分野では一般的なツールである。そしてここではたとえば、調相設備の制御量とタップの制御量の二乗の総和の最小化を目的関数とし、各母線の電圧上下限値を制約条件とし、発電機出力（無効電力）と調相設備とタップ位置を制御変数として解を求める。その結果求められた調相設備とタップ位置に応じて調相設備運用計画とタップ運用計画を修正する。
【０１２１】
ステップＳ１１において、すべての時間帯について上記ステップＳ２からＳ１０までの処理を繰り返す。
【０１２２】
最後に、ステップＳ１２において、すべての時間帯の調相設備運用計画とタップ運用計画によって第３のメモリ４６の調相設備運用計画６５とタップ運用計画６６を修正する。
【０１２３】
この第８の実施形態によれば、前述の第１の実施形態もしくは第５の実施形態と同様の効果が得られるほか、翌日の発電計画や負荷予測や系統構成などの情報を取り入れた精度の高い調相設備運用計画やタップ運用計画を作成することができる。これにより、ＶＱＣ装置５０が調相設備を制御していく先々の状況を運用者がより一層把握しやすくなる。
【０１２４】
上述した各実施形態で述べた各種の機能や処理手順は、コンピュータプログラムとして、コンピュータにより読み取り可能な記憶媒体（例えば磁気ディスク，光ディスク，半導体メモリ）に記憶させておき、必要に応じてそれをプロセッサにより読み出して実行するようにしてもよい。また、このようなコンピュータプログラムは、通信媒体を介してあるコンピュータから他のコンピュータに伝送することにより配布することも可能である。
【０１２５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２６】
１…電力系統、２…監視点、３…被制御対象機器、１１…制御手段、１２…計画手段、１２ｂ…再計画手段、１３…メモリ、１４…表示手段、１５…表示器、１６…系統情報入力手段、１７…指令出力手段、１８ａ，１８ｂ，１９ａ，１９ｂ…情報伝送手段、３１…調相設備運用計画、３２…タップ運用計画、５０…ＶＱＣ装置、４１…調相運用計画手段、４２…実績収集手段、４３…総需要予測手段、４４…第２のメモリ、４５…第１のメモリ、４６…第３のメモリ、４７…第４のメモリ、４９…負荷予測手段、５０…発電計画手段、５１…第４のメモリ、５２…調相運用修正手段、５３…天候予測収集手段、６１…総需要実績記録、６２…調相設備運用実績記録、６３…タップ運用実績記録、６４…総需要予測値、６５…調相設備運用計画、６６…タップ運用計画、６７…カレンダー、６８…天候実績記録、６９…翌日天候予測値、７０…翌日発電計画値、７１…翌日負荷予測値、７２…翌日系統構成計画、７３…母線電圧上下限値、８０…調相設備運用計画装置。
【図１】
2010183761.tif 000003
【図２】
2010183761.tif 000004
【図３】
2010183761.tif 000005
【図４】
2010183761.tif 000006
【図５】
2010183761.tif 000007
【図６】
2010183761.tif 000008